(57)【特許請求の範囲】
【請求項１】
透液性表面シートと、不透液性裏面シートと、それらシートの間に介在する吸液性パネルとから構成された体液吸収性着用物品において、
前記パネルが、前記表面シートの側に配置された圧縮復元弾性を有する第１繊維集合パネルと、前記第１繊維集合パネルの下方に配置された実質的に扁平な第２繊維集合パネルとから形成され、
前記第１繊維集合パネルが、第２繊維集合パネルから上方へ所与寸法離間する実質的に扁平な平坦部と、前記平坦部から前記第２繊維集合パネルへ向かって延びていてそれに当接する多数の凸部とを有し、
前記第１繊維集合パネルの繊維密度が、前記第２繊維集合パネルの側へ向かうにつれて次第に高くなり、前記第２繊維集合パネルの繊維密度が、前記第１繊維集合パネルのそれよりも高いことを特徴とする前記物品。
【請求項２】
前記第１繊維集合パネルが、前記平坦部から前記第２繊維集合パネルへ向かって延びる多数の壁部を有し、前記壁部が、互いに隣接する前記凸部どうしを接続するとともに、第２繊維集合パネルから上方へ所与寸法離間している請求項１記載の物品。
【請求項３】
前記第１繊維集合パネルでは、前記平坦部の繊維密度が０．０３〜０．１０ｇ／ｃｍ３の範囲、前記凸部と前記壁部との繊維密度が０．０５〜０．１５ｇ／ｃｍ３の範囲にあり、前記第２繊維集合パネルでは、その繊維密度が０．１０〜０．５０ｇ／ｃｍ３の範囲にある請求項２に記載の物品。
【請求項４】
前記第１繊維集合パネルが、７０〜１００重量％の親水性の熱可塑性合成樹脂繊維と、０〜３０重量％のセルロース系繊維とから形成され、前記第２繊維集合パネルが、０〜５０重量％の前記合成樹脂繊維と、５０〜１００重量％の前記セルロース系繊維とから形成されている請求項１ないし請求項３いずれかに記載の物品。
【請求項５】
前記第２繊維集合パネルが、０〜５０重量％の繊維状または粒子状の高吸収性ポリマーを含有する請求項１ないし請求項４いずれかに記載の物品。
【発明の詳細な説明】
【０００１】
【発明の属する技術分野】
本発明は、使い捨ておむつや生理用ナプキン、吸液パッド等の体液を吸収、保持する体液吸収性着用物品に関する。
【０００２】
【従来の技術】
特開平５−２５３２５９号公報は、透液性表面シートと、不透液性裏面シートと、それらシートの間に介在する吸液性パネルとから構成された体液吸収性着用物品を開示している。パネルは、表面シートの側に配置された第１パネルと、第１パネルの下方に配置された実質的に無開孔の第２パネルとから形成されている。第１パネルは、１０〜７０重量％の熱可塑性合成樹脂繊維と、３０〜９０重量％のセルロース系繊維および高吸収性ポリマー粒子とから形成されている。第１パネルは、開孔面積が１０〜２，０００ｍｍ２および開孔率が２〜７０％の多数の開孔を有する。表面シートは、開孔面積が１０〜２，０００ｍｍ２および開孔率が２〜７０％の多数の透孔を有する。
【０００３】
この物品では、表面シートの透孔を通過した体液のうちの固形分が第１パネルの開孔に収容されるとともに、体液のうちの水分が第１および第２パネルに吸収される。この物品では、固形分が表面シート上に残存することはなく、固形分がパネルから表面シートに逆戻りすることが少ない。
【０００４】
【発明が解決しようとする課題】
前記物品では、第１パネルに多数の開孔が形成されているので、第１パネルの所要の部位に吸収された尿や軟便、経血等の体液の第１パネルにおける拡散が開孔によって阻止され、第１パネルの全域にそれら体液を素早く拡散させることができない。
【０００５】
また、前記物品では、第１パネルに吸収された尿や軟便、経血等の体液を第２パネルへ移行させるための構成を備えておらず、表面シートから離間する第２パネルにそれら体液を積極的に保持させることができない。パネルでは、それに着用者の体圧がかかると、第１および第２パネルが圧縮され、第１パネルに保持されたそれら体液が第１パネルから表面シートに逆戻りしてしまう場合がある。
【０００６】
本発明の課題は、体液をパネルの全域に素早く拡散させることができ、体液の表面シートへの逆戻りを防ぐことができる体液吸収性着用物品を提供することにある。
【０００７】
【課題を解決するための手段】
前記課題を解決するための本発明の前提は、透液性表面シートと、不透液性裏面シートと、それらシートの間に介在する吸液性パネルとから構成された体液吸収性着用物品である。
【０００８】
かかる前提における本発明の特徴は、前記パネルが、前記表面シートの側に配置された圧縮復元弾性を有する第１繊維集合パネルと、前記第１繊維集合パネルの下方に配置された実質的に扁平な第２繊維集合パネルとから形成され、前記第１繊維集合パネルが、第２繊維集合パネルから上方へ所与寸法離間する実質的に扁平な平坦部と、前記平坦部から前記第２繊維集合パネルへ向かって延びていてそれに当接する多数の凸部とを有し、前記第１繊維集合パネルの繊維密度が、前記第２繊維集合パネルの側へ向かうにつれて次第に高くなり、前記第２繊維集合パネルの繊維密度が、前記第１繊維集合パネルのそれよりも高いことにある。
【０００９】
本発明の実施の態様の一例としては、前記第１繊維集合パネルが、前記平坦部から前記第２繊維集合パネルへ向かって延びる多数の壁部を有し、前記壁部が、互いに隣接する前記凸部どうしを接続するとともに、第２繊維集合パネルから上方へ所与寸法離間している。
【００１０】
本発明の実施の態様の他の一例として、前記第１繊維集合パネルでは、前記平坦部の繊維密度が０．０３〜０．１０ｇ／ｃｍ３の範囲、前記凸部と前記壁部との繊維密度が０．０５〜０．１５ｇ／ｃｍ３の範囲にあり、前記第２繊維集合パネルでは、その繊維密度が０．１０〜０．５０ｇ／ｃｍ３の範囲にある。
【００１１】
本発明の実施の態様の他の一例としては、前記第１繊維集合パネルが、７０〜１００重量％の親水性の熱可塑性合成樹脂繊維と、０〜３０重量％のセルロース系繊維とから形成され、前記第２繊維集合パネルが、０〜５０重量％の前記合成樹脂繊維と、５０〜１００重量％の前記セルロース系繊維とから形成されている。
【００１２】
本発明の実施の態様の他の一例としては、前記第２繊維集合パネルが、０〜５０重量％の繊維状または粒子状の高吸収性ポリマーを含有する。
【００１３】
【発明の実施の形態】
添付の図面を参照し、本発明にかかる体液吸収性着用物品の詳細を開放型の使い捨ておむつを例として説明すると、以下のとおりである。
【００１４】
図１，２は、表面シート２の側から示すおむつ１の部分破断斜視図と、第１パネル５と第２パネル６とを分離して示す吸液性パネル４の斜視図とであり、図３，４は、図１のＡ−Ａ線断面図と、図１のＢ−Ｂ線断面図とである。図１では、横方向を矢印Ｘで示し、縦方向を矢印Ｙで示す。なお、表面シート２や裏面シート３における内面とは、パネル４に対向する面をいい、それらシート２，３の外面とは、パネル４に非対向の面をいう。
【００１５】
おむつ１は、透液性表面シート２と、不透液性裏面シート３と、それらシート２，３の間に介在する吸液性パネル４とを主要な構成部材とする。おむつ１は、それら構成部材の他に、実質的に不透液性の防漏カフ７を有する。
【００１６】
おむつ１は、縦方向に前胴周り域２０および後胴周り域２２と、それら胴周り域２０，２２の間に位置する股下域２１とを有する。おむつ１は、前後胴周り域２０，２２を横方向へ延びる一対のエンドフラップ８と、縦方向へ延びる一対のサイドフラップ９とを有する。サイドフラップ９は、股下域２１においておむつ１の横方向内方へ向かって実質的に弧を画いている。
【００１７】
パネル４は、縦方向へ長い砂時計型を呈し、横方向へ延びる両端縁４ａと、縦方向へ延びる両側縁４ｂとを有する。パネル４は、その全体がティッシュペーパー（図示せず）に被覆、接合され、ティッシュペーパーを介して表面シート２と裏面シート３との内面に接合されている。
【００１８】
パネル４は、圧縮復元弾性を有する第１繊維集合パネル５と、実質的に扁平な第２繊維集合パネル６とから形成されている。パネル４では、第１パネル５が表面シート２の側に配置されており、第２パネル６が第１パネル５の下方に配置されている。
【００１９】
第１パネル５は、実質的に扁平な平坦部５ａと、平坦部５ａから第２パネル６へ向かって延びる多数の凸部５ｂと、平坦部５ａから第２パネル６へ向かって延びる多数の壁部５ｃとを有する。
【００２０】
第１パネル５では、凸部５ｂが第２パネル６に当接し、平坦部５ａと壁部５ｃとが第２パネル６から上方へ所与寸法離間している。凸部５ｂは、実質的に紡錘型を呈する。壁部５ｃは、互いに隣接する凸部５ｂどうしを接続している。第１パネル５は、その繊維密度が第２パネル６の側へ向かうにつれて次第に高くなっている。
【００２１】
第１パネル５では、平坦部５ａの所要の部位に吸収された尿や軟便等の体液が平坦部５ａにおいて素早く拡散する。第１パネル５では、平坦部５ａの繊維密度よりも凸部５ｂと壁部５ｃとのそれが高いので、凸部５ｂと壁部５ｃとにおける毛細管現象が平坦部５ａのそれよりも強く作用し、体液が平坦部５ａから凸部５ｂと壁部５ｃとへ向かって移行する。
【００２２】
第１パネル５では、凸部５ｂどうしが壁部５ｃによって接続されているので、体液が壁部５ｃを伝わって凸部５ｂから他方の凸部５ｂへ移行し、第１パネル５における体液の拡散を向上させることができる。
【００２３】
第２パネル６は、その繊維密度が第１パネル５のそれよりも高い。パネル４では、第２パネル６における毛細管現象が第１パネル５のそれよりも強く作用し、体液が凸部５ｂから第２パネル６へ向かって移行する。パネル４では、第１パネル５の凸部５ｂのみが第２パネル６に当接しているので、第１パネル５の全域が第２パネル６に当接する場合と比較し、第２パネル６に保持された体液が第１パネル５へ逆戻りし難い。
【００２４】
第１パネル５では、平坦部５ａの繊維密度が０．０３〜０．１０ｇ／ｃｍ３の範囲、凸部５ｂと壁部５ｃとの繊維密度が０．０５〜０．１５ｇ／ｃｍ３の範囲にあることが好ましい。第２パネル６では、その繊維密度が０．１０〜０．５０ｇ／ｃｍ３の範囲にあることが好ましい。
【００２５】
平坦部５ａの繊維密度が０．０３ｇ／ｃｍ３未満では、平坦部５ａにおける体液吸収機能が低下し、第１パネル５が体液を吸収せず、体液が表面シート２上に残存してしまう。平坦部５ａの繊維密度が０．１０ｇ／ｃｍ３を超過すると、体液が平坦部５ａに保持され、体液を平坦部５ａから凸部５ｂおよび壁部５ｃへ円滑に移行させることができない。
【００２６】
凸部５ｂと壁部５ｃとの繊維密度が０．０５ｇ／ｃｍ３未満では、凸部５ｂと壁部５ｃとにおける体液吸収機能が低下し、体液が平坦部５ａから凸部５ｂおよび壁部５ｃへ移行せず、体液が平坦部５ａに残存してしまう。
【００２７】
凸部５ｂの繊維密度が０．１５ｇ／ｃｍ３を超過すると、凸部５ｂの繊維密度と第２パネル６のそれとに大きな差をつけることができず、凸部５ｂと第２パネル６との繊維密度の勾配が小さくなり、体液を凸部５ｂから第２パネル６へ円滑に移行させることができない。第２パネル６の繊維密度が０．１０ｇ／ｃｍ３未満の場合も同様に、凸部５ｂの繊維密度と第２パネル６のそれとに大きな差をつけることができない。
【００２８】
第２パネル６の繊維密度が０．５０ｇ／ｃｍ３を超過する場合では、第２パネル６の剛性が増し、それが着用者の肌に不快な刺激を与える。
【００２９】
第１パネル５は、親水処理が施された熱可塑性合成樹脂繊維から形成されている。第１パネル５は、親水性の合成樹脂繊維にセルロース系繊維を混合した混合繊維から形成されていてもよい。
【００３０】
第１パネル５がセルロース系繊維を含む場合では、第１パネル５におけるセルロース系繊維の重量比が３０重量％以下であることが好ましい。セルロース系繊維が３０重量％を超過すると、第１パネル５の圧縮復元弾性が低下し、着用者の体圧によって圧縮された第１パネル５の凸部５ｂが圧縮以前の厚み寸法に復元せず、第１パネル５の平坦部５ｂと壁部５ｃとが第２パネル６に当接したままの状態になってしまう。
【００３１】
第２パネル６は、セルロース系繊維から形成されている。第２パネル６は、セルロース系繊維に親水性の合成樹脂繊維を混合した混合繊維から形成されていてもよい。第２パネル６が合成樹脂繊維を含む場合では、第２パネル６における合成樹脂繊維の重量比が５０重量％以下であることが好ましい。合成樹脂繊維が５０重量％を超過すると、第２パネル６の体液保持機能が低下し、体液が第２パネル６から滲出し易くなる。
【００３２】
また、第２パネル６は、繊維状または粒子状の高吸収性ポリマーを含有するものでもよい。ポリマー粒子としては、デンプン系、セルロース系、合成ポリマー系のものを使用することができる。第２パネル６が高吸収性ポリマーを含む場合では、高吸収性ポリマーの重量比が５０重量％以下であることが好ましい。高吸収性ポリマーが５０重量％を超過すると、体液を吸収した高吸収性ポリマーが膨潤してゲルブロックを形成し、第２パネル６における体液の拡散が妨げられてしまう。
【００３３】
熱可塑性合成樹脂繊維としては、ポリプロピレンやポリエチレン等のポリオレフィン系繊維、ポリエチレンテレフタレートやポリブチレンテレフタレート等のポリエステル系繊維、ナイロン６６やナイロン６等のポリアミド系繊維、アクリル系繊維、のいずれかを使用することができる。合成樹脂繊維としては、ポリエチレン／ポリプロピレン、または、ポリエチレン／ポリエステルからなる芯鞘型複合繊維またはサイドバイサイド型複合繊維を使用することもできる。
【００３４】
セルロース系繊維としては、開繊パルプやレーヨン、アセテート、キュプラ等を使用することができる。
【００３５】
防漏カフ７は、サイドフラップ９に配置されて縦方向へ延びている。カフ９は、パネル４の両側縁４ｂの外側近傍を縦方向へ延びる固定縁部７ａと、表面シート２の上方へ起立性向を有する自由縁部７ｂと、おむつ１の横方向内方へ倒伏された固定両端部７ｃとを有する。カフ７では、固定縁部７ａからおむつ１の横方向外方へ側部７ｄが延びている。自由縁部７ｂには、縦方向へ延びる弾性部材１０が伸長状態で取り付けられている。弾性部材１０は、自由縁部７ｂの一部に被覆されている。
【００３６】
エンドフラップ８には、横方向へ延びる帯状の胴周り用弾性部材１１が伸長状態で取り付けられている。股下域２１に延びるサイドフラップ９には、縦方向へ延びる複数条の脚周り用弾性部材１２が伸長状態で取り付けられている。
【００３７】
エンドフラップ８では、図３に示すように、表面シート２の端部２ａと裏面シート３の端部３ａとがパネル４の端縁４ａから縦方向外方へ延び、それら端部２ａ，３ａが互いに重なり合った状態で固着されている。胴周り用弾性部材１１は、表面シート２の端部２ａと裏面シート３の端部３ａとの間に介在し、それら端部２ａ，３ａに固着されている。カフ７の固定両端部７ｃは、表面シート２の端部２ａに固着されている。
【００３８】
サイドフラップ８では、図４に示すように、表面シート２の側部２ｂがパネル４の側縁４ｂから横方向外方へわずかに延び、側部２ｂからさらに横方向外方へ裏面シート３の側部３ｂとカフ７の側部７ｄとが延びている。側部２ｂは、側部３ｂと側部７ｄとの間に介在し、それら側部３ｂ，７ｄに固着されている。側部３ｂと側部７ｄとは、側部２ｂから横方向外方へ延びる部分が互いに重なり合った状態で固着されている。脚周り用弾性部材１２は、裏面シート３の側部３ｂとカフ７の側部７ｄとの間に介在し、それら側部３ｂ，７ｄに固着されている。カフ７の固定縁部７ａは、表面シート２の側部２ｂに固着されている。
【００３９】
後胴周り域２２のサイドフラップ９には、横方向内方へ延びるテープファスナ１３が取り付けられている。テープファスナ１３の基端部は、裏面シート３の側部３ｂとカフ７の側部７ｄとの間に介在し、それら側部３ｂ，７ｄに固着されている。テープファスナ１３の自由端部には、粘着剤（図示せず）が塗布されている。テープファスナ１３の自由端部は、カフ７の側部７ｄに固着されたプラスチック製の剥離テープ（図示せず）に粘着剤を介して剥離可能に仮着されている。前胴周り域２０における裏面シート３の外面には、プラスチックフィルムからなる矩形のターゲットテープ１４が取り付けられている。ターゲットテープ１４は、テープファスナ１３に対する止着域となる。
【００４０】
おむつ１を着用するには、後胴周り域２２のサイドフラップ９を前胴周り域２０のサイドフラップ９の外側に重ね合わせ、粘着剤を介してテープファスナ１３の自由端部をターゲットテープ１４に止着し、それら胴周り域２０，２２を連結する。前後胴周り域２０，２２が連結されたおむつ１には、胴周り開口と一対の脚周り開口とが画成される。
【００４１】
おむつ１では、それが表面シート２を内側にして縦方向へ湾曲すると、弾性部材１０が収縮し、防漏カフ７の自由縁部７ｂが表面シート２の上方へ起立する。おむつ１では、起立した自由縁部７ｂが体液に対する障壁を形成し、サイドフラップ９からの体液の漏れを防ぐことができる。
【００４２】
表面シート２には、親水性繊維不織布、または、微細な多数の開孔を有するプラスチックフィルムを使用することができる。裏面シート３には、疎水性繊維不織布、不透液性のプラスチックフィルム、疎水性繊維不織布を重ね合わせた２層の不織布、疎水性繊維不織布にプラスチックフィルムを固着した複合シートのいずれかを使用することができる。防漏カフ７には、疎水性繊維不織布を使用することができる。
【００４３】
裏面シート３や防漏カフ７には、高い耐水性を有するメルトブローン法による繊維不織布を、高い強度を有しかつ柔軟性に富んだスパンボンド法による繊維不織布で挟んだ複合不織布を使用することもできる。
【００４４】
不織布としては、スパンレース、ニードルパンチ、メルトブローン、サーマルボンド、スパンボンド、ケミカルボンド、エアースルー、の各製法により製造されたものを使用することができる。不織布の構成繊維としては、ポリオレフィン系、ポリエステル系、ポリアミド系、の各繊維、ポリエチレン／ポリプロピレン、または、ポリエチレン／ポリエステルからなる芯鞘型複合繊維またはサイドバイサイド型複合繊維を使用することができる。
【００４５】
表面シート２と裏面シート３との固着、防漏カフ７の固着、パネル４の接合、弾性部材１０，１１，１２の取り付けには、ホットメルト型接着剤、または、ヒートシールや超音波接合等の熱による溶着手段を使用することができる。
【００４６】
この発明は、使い捨ておむつの他に、生理用ナプキンや吸液パッドにも実施することができる。
【００４７】
【発明の効果】
本発明にかかる体液吸収性着用物品によれば、パネルが第１繊維集合パネルと第２繊維集合パネルとから形成され、第１繊維集合パネルの繊維密度が第２繊維集合パネルの側へ向かうにつれて次第に高くなり、かつ、第２繊維集合パネルの繊維密度が第１繊維集合パネルのそれよりも高いので、体液が第１繊維集合パネルの平坦部から凸部ヘ向かって移行するとともに、凸部に移行した体液が凸部から第２パネルへ向かって移行する。パネルでは、第１パネルの凸部のみが第２パネルに当接しているので、第２パネルに保持された体液が第１パネルへ逆戻りし難く、体液の表面シートへの逆戻りを防ぐことができる。第１繊維集合パネルでは、平坦部の所要の部位に吸収された体液が平坦部において拡散し、体液を第１繊維集合パネルの全域に素早く拡散させることができる。
【００４８】
第１繊維集合パネルに壁部が形成されたパネルでは、互いに隣接する凸部どうしが壁部によって接続されているので、体液が壁部を伝わって凸部から他方の凸部へ移行し、第１繊維集合パネルにおける体液の拡散を向上させることができる。
【図面の簡単な説明】
【図１】表面シートの側から示すおむつの部分破断斜視図。
【図２】分離して示す第１および第２パネルの斜視図。
【図３】図１のＡ−Ａ線断面図。
【図４】図１のＢ−Ｂ線断面図。
【符号の説明】
１            使い捨ておむつ（体液吸収性着用物品）
２            透液性表面シート
３            不透液性裏面シート
４            吸液性パネル
５            第１繊維集合パネル
５ａ          平坦部
５ｂ          凸部
５ｃ          壁部
６            第２繊維集合パネル
【図１】
0003693570.tif 000002
【図２】
0003693570.tif 000003
【図３】
0003693570.tif 000004
【図４】
0003693570.tif 000005